(57)【特許請求の範囲】
【請求項１】
仮設足場の足場板の妻側端部に設置される妻側幅木であって、足場板の妻側端部上に起立姿勢に載置される妻側幅木本体を有し、妻側幅木本体の両端部には、足場用建枠の支柱を掴持して妻側幅木本体を保持する掴み金具を設けてなる仮設足場用妻側幅木において、
前記掴み金具は、足場用建枠の支柱を掴むように支柱に挿脱可能に嵌合する嵌合凹部を有し、この嵌合凹部は、支柱の外周面に対し少なくとも２点接触するようになっており、
更に、前記掴み金具は、上端部が掴み金具取付部材により妻側幅木本体側に枢着されて、妻側幅木本体の内面に沿うように折り畳まれる退避位置と、この退避位置から鋭角に斜め上方へ持ち上がって、嵌合凹部が妻側幅木本体の長さ方向に関し外向きに開口した状態で足場用建枠の支柱に嵌合する支柱掴み位置との間で回動可能となっている仮設足場用妻側幅木。
【請求項２】
前記妻側幅木本体の両端部には、足場板の桁側端部上に載置固定された桁側幅木の上端部に嵌合して桁側幅木を把持する把持用フックを設けてなる請求項１に記載の仮設足場用妻側幅木。
【請求項３】
前記妻側幅木本体の両端部には、足場板の桁側端部上に載置固定される桁側幅木に設けられたピン穴に挿入させる抜け止めピンを設けてなる請求項１又は２に記載の仮設足場用妻側幅木。
【請求項４】
前記妻側幅木本体は、本体中央部材と、この本体中央部材の両端部側に伸縮可能に連結された一対の伸縮部材とからなる請求項１〜３の何れかに記載の仮設足場用妻側幅木。
【請求項５】
前記掴み金具は、バネ付勢手段によって常時退避方向に付勢されている請求項１〜４の何れかに記載の仮設足場用妻側幅木。
【請求項６】
前記把持用フックは、フック先端部側が持ち上げ可能に妻側幅木本体の端部に取り付けられると共に、バネ及びロックピンによって桁側幅木の上端部に嵌合する位置に保持されるようになっている請求項２〜５の何れかに記載の仮設足場用妻側幅木。
【発明の詳細な説明】
【技術分野】
【０００１】
本発明は、建築現場等で仮設足場の足場板の妻側端部に取り付けられる仮設足場用妻側幅木に関する。
【背景技術】
【０００２】
建築作業現場等の仮設足場における足場板上での高所作業では、作業者が手にしたボルト・ナット、金具等の種々の作業用部品や工具類、足元に置いた各種資材や用具等を誤って落下させ、事故につながるという危険性が常に付きまとう。そこで、足場板の桁側端部には桁側幅木、妻側端部には妻側幅木を取り付けることが行われている。
【０００３】
従来、桁側幅木としては、これを足場板の桁側端部沿いに簡単容易に固定できるようにしたものが種々提供されているが、妻側幅木については、この妻側幅木を足場板の妻側端部に簡単容易に固定できるようなものが未だ提供されていない。即ち、従来では、例えば足場板の妻側端部上に載置した妻側幅木の両端部を夫々ワイヤー等によって桁側幅木の端部に連結するなどして固定するようにしているため、妻側幅木の固定作業に手間がかかる上に、その取り外し作業が非常に面倒であった。
【発明の概要】
【発明が解決しようとする課題】
【０００４】
本発明は、上記のような事情に鑑み、足場板の妻側端部上に簡単容易に固定できるようにした妻側幅木を提供することを目的としている。
【課題を解決するための手段】
【０００５】
上記課題を解決するための手段を、後述する実施形態の参照符号を付して説明すると、請求項１に係る発明の仮設足場用妻側幅木は、仮設足場の足場板９の妻側端部に設置される妻側幅木１であって、足場板９の妻側端部上に起立姿勢に載置される妻側幅木本体２を有し、妻側幅木本体２の両端部には、足場用建枠３の支柱４を掴持して妻側幅木本体２を保持する掴み金具６を設けてなる仮設足場用妻側幅木において、
前記掴み金具６は、足場用建枠３の支柱４を掴むように支柱４に挿脱可能に嵌合する嵌合凹部１５を有し、この嵌合凹部１５は、支柱４の外周面に対し少なくとも２点ａ，ｃ接触するようになっており、
更に、前記掴み金具６は、上端部が掴み金具取付部材１６により妻側幅木本体２側に枢着されて、妻側幅木本体２の内面に沿うように折り畳まれる退避位置と、この退避位置から鋭角に斜め上方へ持ち上がって、嵌合凹部１５が妻側幅木本体２の長さ方向に関し外向きに開口した状態で足場用建枠３の支柱４に嵌合する支柱掴み位置との間で回動可能となっていることを特徴とする。
【０００６】
請求項２は、請求項１に記載の仮設足場用妻側幅木において、前記妻側幅木本体２の両端部には、足場板９の桁側端部上に載置固定された桁側幅木１０の上端部に嵌合して桁側幅木１０を把持する把持用フック７を設けてなることを特徴とする
【０００７】
請求項３は、請求項１又は２に記載の仮設足場用妻側幅木において、前記妻側幅木本体２の両端部には、足場板９の桁側端部上に載置固定される桁側幅木１０に設けられたピン穴１１に挿入させる抜け止めピン８を設けてなることを特徴とする。
【０００８】
請求項４は、請求項１〜３の何れかに記載の仮設足場用妻側幅木において、前記妻側幅木本体２は、本体中央部材１２と、この本体中央部材１２の両端部側に伸縮可能に連結された一対の伸縮部材１３，１３とからなることを特徴とする。
【００１１】
請求項５は、請求項１〜４の何れに記載の仮設足場用妻側幅木において、前記掴み金具６は、バネ付勢手段１７によって常時退避方向に付勢されていることを特徴とする。
【００１２】
請求項６は、請求項２〜５の何れかに記載の仮設足場用妻側幅木において、前記把持用フック７は、フック先端部７ａ側が持ち上げ可能に妻側幅木本体２の端部に取り付けられると共に、バネ２４及びロックピン２５によって桁側幅木１０の上端部に嵌合する位置に保持されるようになっていることを特徴とする。
【発明の効果】
【００１３】
上記解決手段による発明の効果を、後述する実施形態の参照符号を付して説明すると、請求項１に係る発明によれば、妻側幅木本体２の両端部に、足場用建枠３の支柱４を掴持して妻側幅木本体２を保持する掴み金具６を設けているから、妻側幅木本体２の端部の掴み金具６で足場用建枠３の支柱４を掴持することによって、妻側幅木本体２は支柱４から離反する方向の移動を規制され、以て妻側幅木本体２を足場板９の妻側端部上に簡単容易に固定させることができる。
又、本発明によれば、請求項１〜４の何れかに係る発明の効果に加え、掴み金具６が、足場用建枠３の支柱４を掴むように支柱４に挿脱可能に嵌合する嵌合凹部１５を有し、この嵌合凹部１５が支柱４の外周面に対し少なくとも２点ａ，ｃ接触するようになっているから、掴み金具６は支柱４によってガタつきを発生することなく支持され、妻側幅木本体２を安定よく自立固定させることが可能である。
更に又、本発明によれば、掴み金具６は、上端部が掴み金具取付部材１６により妻側幅木本体２側に枢着されて、妻側幅木本体２の内面に沿うように折り畳まれる退避位置と、この退避位置から鋭角に斜め上方へ持ち上がって、嵌合凹部１５が妻側幅木本体２の長さ方向に関し外向きに開口した状態で足場用建枠３の支柱４に嵌合する支柱掴み位置との間で回動可能となっているから、妻側幅木本体２を足場板９の妻側端部上に有効に固定することができる。又、妻側幅木本体２の不使用時には掴み金具６を妻側幅木本体２内に格納し嵩張らないようにすることができる。
【００１４】
請求項２に係る発明によれば、請求項１に係る発明の効果に加え、妻側幅木本体２の両端部に、足場板９の桁側端部上に載置固定された桁側幅木１０の上端部に嵌合して桁側幅木１０を把持する把持用フック７を設けているから、妻側幅木本体２の端部の把持用フック７を足場板９の桁側端部上の桁側幅木１０の上端部に嵌合して桁側幅木１０を把持することにより、妻側幅木本体２は桁側幅木１０から水平方向に離反する方向の移動が規制され、以て妻側幅木本体２を足場板９の妻側端部上に簡単容易に安定良く固定させることができる。
【００１５】
請求項３に係る発明によれば、請求項１又は２に係る発明の効果に加え、妻側幅木本体２の両端部に、足場板９の桁側端部上に載置固定される桁側幅木１０に設けられたピン穴１１に挿入させる抜け止めピン８を設けているから、妻側幅木本体２の端部の抜け止めピン８を桁側幅木１０側のピン穴１１に挿入することによって、妻側幅木本体２は桁側幅木１０に対して上下方向に移動して離反することが規制され、以て妻側幅木本体２を足場板９の妻側端部上に簡単容易に安定良く固定させることができる。
【００１６】
請求項４に係る発明によれば、請求項１〜３の何れかに係る発明の効果に加え、妻側幅木本体２が、本体中央部材１２と、これの両端部側に伸縮可能に連結された一対の伸縮部材１３，１３とからなるため、足場板９の桁側端部上に取り付けられる妻側幅木本体２の取付長さに応じて妻側幅木本体２の長さを的確に伸縮調整することができる。
【００１９】
請求項５に係る発明によれば、請求項６に係る発明の効果に加え、掴み金具６は、常時、バネ付勢手段１７によって退避方向に付勢されているから、妻側幅木本体２を上方に外そうとしても、支柱４に嵌合した嵌合凹部１５がバネ付勢手段１７のバネ付勢力で支柱４に対しこじるように作用し、それにより支柱４に食い付いた状態となって、妻側幅木本体２を足場板９の妻側端部上により一層有効に固定することができる。
【００２０】
請求項６に係る発明によれば、請求項２〜〜５の何れかに係る発明の効果に加え、把持用フック７は、フック先端部７ａ側が持ち上げ可能に妻側幅木本体２の端部に取り付けられると共に、バネ２４及びロックピン２５によって桁側幅木１０の上端部に嵌合する位置に保持されるようになっているから、桁側幅木１０の上端部に嵌合して桁側幅木１０を把持する際には、バネ２４の付勢力に抗してフック先端部７ａ側を持ち上げることにより、桁側幅木１０の上端部への嵌合作業が容易となり、その嵌合作業が終われば、バネ２４の付勢力及びロックピン２５によってフック嵌合位置に保持させることができる。
【図面の簡単な説明】
【００２１】
【図１】本発明に係る妻側幅木を示すもので、(a) は最小収縮状態の妻側幅木の正面図、(b) は最大伸張状態の妻側幅木の正面図である。
【図２】(a) は図１の(b) の矢印Ａで示す部分の拡大図、(b) は(a) のＣ−Ｃ線断面図である。
【図３】(a) は図１の(b) の矢印Ｂで示す部分の拡大図、(b) は(a) のＤ−Ｄ線断面図で、掴み金具が退避位置に折り畳まれた状態を示し、(c) は掴み金具が支柱掴み位置に持ち上がった状態を示す(b) と同様な断面図であり、(b) 及び(c) には把持用フック及びロックピンの図示を省略している。
【図４】図３の(a) 〜(c) と同様な図面であって、掴み金具が捻じりバネで退避方向に付勢される場合を示し、(a) は図１の(b) の矢印Ｂで示す部分の拡大図、(b) は(a) のＥ−Ｅ線断面図で、掴み金具が退避位置に折り畳まれた状態を示し、(c) は掴み金具が支柱掴み位置に持ち上がった状態を示す(b) と同様な断面図であり、(b) 及び(c) には把持用フック及びロックピンの図示を省略している。
【図５】(a) は掴み金具が柱掴み位置で足場用建枠の支柱を掴持する状態を示す正面図、(b) はその平面図である。
【図６】(a) は妻側幅木の収縮状態での使用態様を示す平面図、(b) は妻側幅木の伸張状態での使用態様を示す平面図である。
【図７】(a) は図６の(a) の矢印Ｆで示す部分の斜視図、(b) は図６の(b) の矢印Ｇで示す部分の斜視図である。
【図８】掴み金具取付部材を示す斜視図で、(a) は掴み金具が板バネによって取り付けられるタイプの取付部材を示し、(b) は掴み金具が捻じりバネによって取り付けられるタイプの取付部材を示す。
【図９】抜け止めピンをバネによって突出付勢させる例を示す妻側幅木の一部正面図である。
【発明を実施するための形態】
【００２２】
以下に本発明の好適な一実施形態を図面に基づいて説明すると、図１の(a) には本発明に係る妻側幅木１を最小長さに収縮した状態で示し、(b) には同妻側幅木１を最大長さに伸張した状態を示し、図６の(a) には収縮状態での妻側幅木１の使用態様、(b) には伸張状態での使用状態様示し、そして図７の(a) には図６の(a) の矢印Ｆで示す部分を斜視図で示し、図７の(b) には図６の(b) の矢印Ｇで示す部分を斜視図で示している。この妻側幅木１は妻側幅木本体２を有する。この妻側幅木本体２の左右両端部の各端部には、足場用建枠３の支柱４を掴持して妻側幅木本体２を保持する掴み金具６（図１、図６の(b) 、図７の(b) ）と、足場板９の桁側端部上に載置固定された桁側幅木１０の上端部に嵌合して桁側幅木１０を把持する把持用フック７（図１、図６の(a) 、図７の(a) ）と、足場板９の桁側端部上に載置固定される桁側幅木１０に設けられたピン穴１１に挿入させる抜け止めピン８（図１、図２）とが設けられている。尚、図７において、５は足場用建枠３の横架材を示す。
【００２３】
上記妻側幅木１の構造について更に説明すれば、妻側幅木本体２は、本体中央部材１２と、この本体中央部材１２の両端部側に伸縮可能に連結された一対の伸縮部材１３，１３とからなるもので、図１〜図３に示すように、本体中央部材１２には上下側端部に断面コ字状のガイドレール１２ｏ，１２ｏが形成されていて、各伸縮部材１３の上下側端部１３ｏ，１３ｏが本体中央部材１２のガイドレール１２ｏ，１２ｏにスライド伸縮可能に嵌合され、各伸縮部材１３は所要の伸縮位置で本体中央部材１２に対しストッパー１４により固定されるようになっている。ストッパー１４は、図２に示すように、伸縮部材１３側に設けた長穴１４ａに、本体中央部材１２側に突設したガイドボルト１４ｂをスライド可能に挿通させ、このガイドボルト１４ｂに締付用蝶ナット１４ｃを螺合してなるもので、伸縮部材１３を本体中央部材１２に対し所要長さ伸縮させた位置で蝶ナット１４ｃを締め付ければよい。図２の(b) において、１４ｄはガイドボルト１４ｂが突設された台板で、本体中央部材１２側に固定されている。
【００２４】
掴み金具６は、図３の(a) 、(b) 、図５の(a) ，(b) 、図６の(b) 及び図７の(b) に示すように、足場用建枠３の支柱４を掴むように支柱４に挿脱可能に嵌合する嵌合凹部１５を形成した略Ｃ字形金具からなるもので、図７の(b) に示すように、上端部が掴み金具枢着部材１６により妻側幅木本体２の伸縮部材１３側に枢着されて、伸縮部材１３の内面に沿うように折り畳まれる退避位置（図３の(a) 、図４の(a) ）と、この退避位置から鋭角に斜め上方へ持ち上がって、嵌合凹部１５が妻側幅木本体２の長さ方向に関し外向きに開口した状態で足場用建枠３の支柱４に嵌合し（図７の(b) ）、支柱４の外周面に対して図５の(b) に示すように、３点ａ，ｂ，ｃで接触する支柱掴み位置との間で回動可能となっており、そしてこの掴み金具６は、バネ付勢手段１７によって常時退避方向に付勢されている。
【００２５】
掴み金具枢着部材１６は、例えば図８の(a) に示す枢着部材１６ａと、図８の(b) に示す枢着部材１６ｂに分かれ、図８の(a) に示す枢着部材１６ａは、図１〜図３、図５、図７及び図９に示すように、バネ付勢手段１７が断面コ字形の板バネ２２を装着するタイプのものであり、図８の(b) に示す枢着部材１６ｂは、図４に示すような捻じりバネ２３を装着するタイプのものである。
【００２６】
図８の(a) に示す板バネタイプの掴み金具枢着部材１６ａは、ブラケット１８と、枢軸としてのボルト１９及びナット２０とからなり、ブラケット１８は、取付片１８ａと取付片１８ａの両端部から平面コ字状に突出する枢着片１８ｂ，１８ｂとからなり、取付片１８ａは、ビス孔１８ａｏから妻側幅木本体２の伸縮部材１３側にビス２１（図２、図３、図７の(b) ）をねじ込むことによって、このブラケット１８を伸縮部材１３に固定することになるが、このブラケット１８を伸縮部材１３にビス止めする際に、両者間に板バネ２２の一端部を挟み込み、これら３者を一体にビス止めし、しかる後に掴み金具６の上端円筒部６ｏをブラケット１８の枢着片１８ｂ，１８ｂ間に介挿し、両枢着片１８ｂ，１８ｂのボルト挿通孔１８ｏ，１８ｏ（図８の(a) 参照）からボルト（枢軸）１９を挿通して、その先端部にナット２０を螺合し、締結することにより、掴み金具６を伸縮部材１３に枢着し、この枢着の際に、断面下向きコ字状の板バネ２２の他端部を掴み金具６の表面に当接させることによって掴み金具６を常時退避方向に付勢させるようにする。
【００２７】
上記バネ付勢手段１７としては、図４に示すような捻じりバネ２３を使用してもよい。この場合の掴み金具枢着部材１６ｂは、図８の(b) に示すように、ブラケット１８と、枢軸としてのボルト１９及びナット２０とからなり、ブラケット１８は、両側一対の取付片１８ａ，１８ａと取付片１８ａ，１８ａから突出する枢着片１８ｂ，１８ｂと両枢着片１８ｂ，１８ｂ間をつなぐツナギ片１８ｃとからなり、取付片１８ａ、１８ａは、ビス孔１８ａｏから妻側幅木本体２の伸縮部材１３側にビス２１（図４）をねじ込むことによって、このブラケット１８を伸縮部材１３に固定することになる  。そして、図４に示すように、捻じりバネ２３を掴み金具枢着部材１６のボルト（枢軸）１９に巻装するとともに、このバネ２３の基端側２３ｏを伸縮部材１３に当接させ、その先端側２３ａを掴み金具６の上端円筒部６ｏとブラケット１８のツナギ片１８ｃの間から掴み金具６の外面に沿うように下向きに突出させることによって、掴み金具６を図４の(b) に示すように常時退避方向に付勢させるようにする。
【００２８】
そして、板バネタイプの掴み金具枢着部材１６ａ及び捻じりバネタイプの掴み金具枢着部材１６ｂの何れのブラケット１８にも、その一対の枢着片１８ｂ，１８ｂの外周面に段部１８ｄ，１８ｄが形成され、掴み金具６を板バネ２２又は捻じりバネ２３の付勢力に抗して持ち上げる時には、図３の(c)又は図４の(c) に示すように掴み金具６の基端部６ａが前記段部１８ｄ，１８ｄに当接して該段部１８ｄ，１８ｄに規制されて、同図の(c) の仮想線で示す退避位置からの持ち上がり角度を、同図の実線図示のような鋭角、例えば７０°程度に制限するようにしている。
【００２９】
図１、図２及び図３に示すように妻側幅木本体２の左右両端部には夫々把持用フック７が設けてあるが、各把持用フック７は、図２の仮想線図示のように、フック先端部７ａ側が上方へ持ち上げ可能で、その持ち上げ状態でフック基端部７ｏを中心として水平回りに回動可能に妻側幅木本体２の端部に取り付けられると共に、コイルバネ２４及びロックピン２５によって、フック先端部７ａ側が妻側幅木本体２（伸縮部材１３）の端面側上部から突出して桁側幅木１０の上端部に嵌合する桁側幅木掴持位置に保持されるようになっている。尚、図２〜図４及び図７において、１３ａは妻側幅木本体２の伸縮部材１３の端部上側枠部、１３ｂは端部下側枠部、１３ｃは端部端面側枠部を示し、何れも断面コ字状に形成されている。
【００３０】
上記ロックピン２５は、図３の(a) に示すように、支軸部２５ａと、これの上端部から水平に突出する水平軸部２５ｂと、これの先端から垂下突出するピン先端部２５ｃとからなるもので、支軸部２５ａの上端部に止めピン２６を取り付けた状態でこの支軸部２５ａを、前記把持用フック７の基端部７ｏに貫通させて、妻側幅木本体２の伸縮部材１３の端部上側枠部１３ａに設けた孔２７に挿通すると共に、ピン先端部２５ｃを把持用フック７の中間部に貫通させて下向きに突出させ、そして支軸部２５ａの下部側にコイルバネ２４を巻装してナット２８で締め付けることによって、把持用フック７を、持ち上げ可能で水平回りに回動可能にすると共に、ロックピン２５の先端部２５ｃを、図３の(a) に示すように伸縮部材１３の端部上側枠部１３ａに設けたロック孔２９に突入させることにより、把持用フック７を桁側幅木掴持位置に保持することができる。
【００３１】
また、前記抜け止めピン８は、図２〜図５、図９に示すように、妻側幅木本体２の伸縮部材１３の端部端面側枠部１３ｃに一体的に突設された固定ピンで、図２に示すように足場板９の桁側端部上に載置固定される桁側幅木１０に設けられたピン穴１１に挿入させるようになっている。尚、この抜け止めピン８は、図９に示すように、バネ３０によって妻側幅木本体２の伸縮部材１３の端部端面側枠部１３ｃから常時突出していて、バネ３０の付勢力に抗して引っ込ませることができる伸縮ピンでもよい。
【００３２】
上記のように構成される妻側幅木１の使用方法について説明すると、図６の(a) には、足場用建枠３の横架材５に２枚の足場板９，９が夫々の係止フック９ａによって平行に掛け渡されていて、両足場板９，９の両外側の桁側端部に桁側幅木１０，１０が載置固定されている場合に、その両桁側幅木１０，１０を利用して、両足場板９，９の妻側端部に妻側幅木１を設置する態様を平面図で示し、図７の(a) には同態様を斜視図で示している。尚、図６の(a) 及び図７の(a) において、３１は桁側幅木１０の端部に設けられたコ字枠状端部枠で、その下端部の両係止凹部３１ａ，３１ａが横架材５に係止され、両係止凹部３１ａ，３１ａの間に足場板９の掛止フック９ａが横架材５に係止されて固定される状態となっている。
【００３３】
この場合の妻側幅木１の設置手順は、妻側幅木本体２の一端部にある把持用フック７のフック先端部７ａを図２の(a) の仮想線図示のように持ち上げた状態で、抜け止めピン８を一方側（図６の(a) の左側）の桁側幅木１０の端部のピン穴１１に挿入した後、把持用フック７を図２の(a) の実線図示のような元の状態に下ろして桁側幅木１０の上端部を把持する。そして、ストッパー１４の蝶ナット１４ｃを緩め、両桁側幅木１０，１０の間隔に合わせて、妻側幅木本体２の本体中央部材１２と伸縮部材１３とを伸縮調整しながら、妻側幅木本体２の他端部の把持用フック７を上記同様に持ち上げた状態で、抜け止めピン８を他方側（図６の(a) の右側）の桁側幅木１０の端部ピン穴１１に挿入し、把持用フック７で桁側幅木１０の上端部を把持し、そして最後にストッパー１４の蝶ナット１４ｃを締め付けることにより、妻側幅木１の設置を終了する。
【００３４】
図６の(b) は、図６の(a) の場合と同様に足場用建枠３の横架材５に２枚の足場板９，９が夫々の係止フック９ａによって平行に掛け渡されているが、両足場板９，９の両外側の片側（図６の(b) の左側）には桁側幅木１０が設置してあって、反対側（図６の(b) の右側）には桁側幅木１０が設置されていない場合に、その片側にある桁側幅木１０と、その反対側にある足場用建枠３の支柱４を利用して、両足場板９，９の妻側端部に妻側幅木１を設置する態様を平面図で示し、図７の(b) には同態様を斜視図で示している。尚、図６の(b) の左側に示す桁側幅木１０は、両足場板９，９のうち左側の足場板９の桁側端部に面する側にある隙間を塞ぐ隙間塞ぎ板３３付きの桁側幅木１０であり、この隙間塞ぎ板３３付き桁側幅木１０のコ字枠状端部枠３１の下端部にある係止凹部３１ａ，３１ａが横架材５に係止固定されている（図７の(a) 参照）。
【００３５】
この場合の妻側幅木１の設置手順は、妻側幅木本体２の一端部にある把持用フック７のフック先端部７ａを持ち上げた状態で、抜け止めピン８を一方側（図６の(b) の左側）の塞ぎ板３３付き桁側幅木１０の端部のピン穴１１に挿入した後、把持用フック７を元の状態に下ろして桁側幅木１０の上端部を把持する。そしてストッパー１４の蝶ナット１４ｃを緩めて、伸縮部材１３を本体中央部材１２に対し伸張しつつ、妻側幅木本体２の他端部にある掴み金具６を折り畳んだ退避位置から持ち上げながら、掴み金具６を図７の(b) に示すように、嵌合凹部１５が妻側幅木本体２の長さ方向に関し外向きに開口した状態で足場用建枠３の支柱４に対して突っ張るように嵌合し、そして最後にストッパー１４の蝶ナット１４ｃを締め付けることにより、妻側幅木１の設置を終了する。尚、図６の(b) のＧに概略示すように、妻側幅木本体２の他端部側の把持用フック７は、この妻側幅木本体２と同一直線状に配設された桁側幅木１０の端部のコ字枠状端部枠３１内に突入させる。
【００３６】
上記妻側幅木本体２の掴み金具６は、図５の(a) ，(b) 及び図７の(b) に示すように、足場用建枠３の支柱４を掴むように支柱４に挿脱可能に嵌合する嵌合凹部１５を有するもので、上端部が妻側幅木本体２の伸縮部材１３側に取付部材１６によって枢着されていて、妻側幅木本体２の伸縮部材１３内面に沿うように折り畳まれる退避位置から鋭角に斜め上方へ持ち上がって、嵌合凹部１５が妻側幅木本体２の長さ方向に関し外向きに開口した状態で足場用建枠３の支柱４に嵌合するようになっていると共に、バネ付勢手段１７によって常時退避方向、即ち下向きに付勢されているため、支柱４に嵌合した嵌合凹部１５がバネ付勢手段１７のバネ付勢力で支柱４に対しこじるように作用し、それにより支柱４に食い付いた状態となって、妻側幅木本体２を足場板９の妻側端部上に有効に固定することができる。しかもこの場合、掴み金具６の嵌合凹部１５は、図５の(b) に示すように支柱４の外周面に対し常に３点ａ，ｂ，ｃで接触するようになっているため、掴み金具６は支柱４によってガタつきを発生することなく支持され、妻側幅木本体２を安定よく自立固定させることが可能である。尚、図５の(b) には嵌合凹部１５が支柱４の外周面に対し常に３点ａ，ｂ，ｃで接触する状態を例示しているが、嵌合凹部１５が支柱４の外周面に対し２点ａ，ｃ接触する場合でも、掴み金具６は妻側幅木本体２を安定よく自立固定させることができる。しかして、図示のように嵌合凹部１５が支柱４外周面に対して３点ａ，ｂ，ｃ接触すれば、掴み金具６は、この掴み金具６が斜めに浮き上がりを生じた時に支柱４に対しこじる作用を発揮することによって、妻側幅木本体２をより一層安定よく自立固定させることができる。もちろん、支柱４の外周面に対し嵌合凹部１５が３点ａ，ｂ，ｃ以上で接触するようにしてもよい。また、妻側幅木の不使用時には、掴み金具６は妻側幅木本体２の伸縮部材１３内面に沿うように折り畳まれその位置でバネ付勢手段１７（２２，２３）で保持されるようになっているから、妻側幅木の運搬や保管時に掴み金具６が嵩張って邪魔になる等の支障をきたすこともない。
【００３７】
また、妻側幅木本体２の両端部には、足場板９の桁側端部上に載置固定された桁側幅木１０の上端部に嵌合して桁側幅木１０を把持する把持用フック７が設けられているため、両端部の把持用フック７，７で妻側幅木本体２の両端部を把持することにより、両者の互いの横（水平）方向への離反移動を規制し、妻側幅木本体２を足場板９の妻側端部上により安定良く固定することができる。また、この把持用フック７は、フック先端部７ａ側が持ち上げ可能に妻側幅木本体２の端部に取り付けられると共に、バネ２４及びロックピン２５によって桁側幅木１０の上端部に嵌合する位置に保持されるようになっているから、桁側幅木１０の上端部に嵌合して桁側幅木１０を把持する際には、バネ２４の付勢力に抗してフック先端部７ａ側を持ち上げることにより、桁側幅木１０の上端部への嵌合作業が容易となり、その嵌合作業が終われば、バネ２４の付勢力及びロックピン２５によってフック嵌合位置に保持させることができる。
【００３８】
また、妻側幅木本体２の両端部には、足場板９の桁側端部上に載置固定される桁側幅木１０に設けられたピン穴１１に挿入させる抜け止めピン８を設けているため、足場板９の桁側端部上での妻側幅木本体２の上下方向への離反移動を確実に阻止することができる。また、この実施形態に示す把持用フック７は、フック先端部７ａ側を上方へ持ち上げた状態でフック基端部７ｏを中心に水平回りに回動可能に妻側幅木本体２の端部に取り付けられているため、抜け止めピン８を桁側幅木１０のピン穴１１に挿入する際に、把持用フック７を持ち上げた状態で手前側へ回動しておけば、把持用フック７が桁側幅木１０に当たって邪魔になるようなことがなく、抜け止めピン８の挿入が容易となる。
【００３９】
また、妻側幅木本体２は、本体中央部材１２と、この本体中央部材１２の両端部側に伸縮可能に連結された一対の伸縮部材１３とからなるため、足場板９の桁側端部上に取り付けられる妻側幅木本体２の取付長さに応じて妻側幅木本体２の長さを的確に伸縮調整することができる。
【符号の説明】
【００４０】
１            妻側幅木
２            妻側幅木本体
３            足場用建枠
４            足場用建枠の支柱
５            足場用建枠の横架材
６            掴み金具
７            把持用フック
８            抜け止めピン
９            足場板
１０          桁側幅木
１１          ピン穴
１２          妻側幅木本体の本体中央部材
１３          妻側幅木本体の伸縮部材
１４          ストッパー
１５          嵌合凹部
１６          掴み金具取付部材
１６ａ        掴み金具取付部材
１６ｂ        掴み金具取付部材
１７          バネ付勢手段
２２          バネ付勢手段
２３          バネ付勢手段
【図１】
0005627288.tif 000002
【図２】
0005627288.tif 000003
【図３】
0005627288.tif 000004
【図４】
0005627288.tif 000005
【図５】
0005627288.tif 000006
【図６】
0005627288.tif 000007
【図７】
0005627288.tif 000008
【図８】
0005627288.tif 000009
【図９】
0005627288.tif 000010